(57)【要約】      （修正有）【課題】文字や図形等を理解している就学児童が使用できることはもちろん、就学前の幼児が像や文字を真似てなぞり書きを行う場合であっても下絵部分の変化により興味を持ってなぞり書きができる、興趣に富んだなぞり書き用表示体とそれを用いたなぞり書きセットを提供する。【解決手段】被筆記体６を表示部５上に載置して表示される像をなぞり書きするなぞり書き用表示体１であって、表示部５と、制御部と、操作部３とを有し、表示部５には上方から視認可能な複数の発光素子５１がマトリクス状に配置されており、前記制御部により発光素子５１が所望の順序で点灯するように制御されており、操作部３の操作により制御される発光素子５１が点灯することで所望の像を形成するなぞり書き用表示体１。なぞり書き用表示体１と、表示体上面に載置した際に発光素子５１の点灯状態が視認可能な被筆記体６とからなるなぞり書きセット７。【選択図】図２
2012159587.tif 000002
【特許請求の範囲】
【請求項１】
被筆記体を表示部上に載置して表示される像をなぞり書きするなぞり書き用表示体であって、
表示部と、制御部と、操作部とを有し、
前記表示部には上方から視認可能な複数の発光素子がマトリクス状に配置されており、
前記制御部により発光素子が所望の順序で点灯するように制御されており、
前記操作部の操作により制御される発光素子が点灯することで所望の像を形成するなぞり書き用表示体。
【請求項２】
音声発生手段を備え、発光素子の点灯、点滅、消灯とともに音声を発生する請求項１に記載のなぞり書き用表示体。
【請求項３】
前記発光素子が二色以上の色に発光する請求項１又は２に記載のなぞり書き用表示体。
【請求項４】
前記表示部に表示される像が、一筆書き順に発光素子を点灯することで形成される請求項１乃至３のいずれかに記載のなぞり書き用表示体。
【請求項５】
前記表示部に表示される像が文字であり、書き順に従って発光素子を点灯することで文字が形成される請求項１乃至３のいずれかに記載のなぞり書き用表示体。
【請求項６】
前記表示部に対して垂直方向に延設される円形支持部を有する請求項１乃至５のいずれかに記載のなぞり書き用表示体。
【請求項７】
前記円形支持部に制御部と操作部が設けられる請求項６記載のなぞり書き用表示体。
【請求項８】
前記請求項１乃至７のいずれかに記載のなぞり書き用表示体と、表示体上面に載置した際に発光素子の点灯状態が視認可能な被筆記体とからなるなぞり書きセット。
【請求項９】
前記被筆記体が光透過性を有する布帛または樹脂シートの表面に、低屈折率顔料をバインダー樹脂に分散状態に固着させた、非吸液状態で不透明であり吸液状態で透明化する多孔質層を形成してなる水変色性筆記シートである請求項８記載のなぞり書きセット。
【請求項１０】
前記被筆記体が表示体の軸心方向に回転可能に表示体と接続されている請求項８又は９に記載のなぞり書きセット。
【請求項１１】
前記被筆記体が円形孔部を有するとともに、表示体が表示部に対して垂直方向に延設される円形支持部を有し、前記円形支持部を円形孔部内に嵌入することで軸心方向に回転可能に接続される請求項１０記載のなぞり書きセット。
【請求項１２】
水付着具とからなる請求項９乃至１１のいずれかに記載のなぞり書きセット。
【請求項１３】
前記水付着具が、連続気孔を有するプラスチック多孔体又は繊維加工体をペン先部材として適用した筆記具又は塗布具形態である請求項１２記載のなぞり書きセット。
【発明の詳細な説明】
【技術分野】
【０００１】
本発明は、なぞり書き用表示体とそれを用いたなぞり書きセットに関する。更には、複数の発光素子が点灯することで像を形成するなぞり書き用表示体及びそれを用いたなぞり書きセットに関する。
【背景技術】
【０００２】
従来、写し絵やなぞり書きを行う場合、目的の像や文字が描かれた下絵シートに半透明の紙や布帛を重ねて、透視される像や文字をなぞることで行われている（例えば、特許文献１、２参照）。
前記手段を用いたなぞり書きは、下絵シートに予め目的の像が描かれているため、就学児童が文字を練習する際には有用であるものの、下絵シートに描かれる像に変化がないため興趣性を備えておらず、就学前の幼児が像や文字を真似てなぞり書きを行う場合には興味を惹くことができず不向きなものであった。
【先行技術文献】
【特許文献】
【０００３】
【特許文献１】実開昭６２−１８５０９８号公報
【特許文献２】特開２００８−１７３８４４号公報
【発明の概要】
【発明が解決しようとする課題】
【０００４】
本発明は、文字や図形等を理解している就学児童が使用できることはもちろん、就学前の幼児が像や文字を真似てなぞり書きを行う場合であっても下絵部分の変化により興味を持ってなぞり書きができる、興趣に富んだなぞり書き用表示体を提供するものである。
また、前記表示体とともに、筆跡形成時に周囲を汚すことなく容易に筆跡を消去して使用前の状態に戻すことが可能である、学習性及び再使用性が高く、幼児の使用に適した筆記シートを用いた利便性の高いなぞり書きセットを提供するものである。
【課題を解決するための手段】
【０００５】
本発明は、被筆記体を表示部上に載置して表示される像をなぞり書きするなぞり書き用表示体であって、表示部と、制御部と、操作部とを有し、前記表示部には上方から視認可能な複数の発光素子がマトリクス状に配置されており、前記制御部により発光素子が所望の順序で点灯するように制御されており、前記操作部の操作により制御される発光素子が点灯することで所望の像を形成するなぞり書き用表示体を要件とする。
更に、音声発生手段を備え、発光素子の点灯、点滅、消灯とともに音声を発生すること、前記発光素子が二色以上の色に発光すること、前記表示部に表示される像が一筆書き順に発光素子を点灯することで形成されること、前記表示部に表示される像が文字であり、書き順に従って発光素子を点灯することで文字が形成されること、前記表示部に対して垂直方向に延設される円形支持部を有すること、前記円形支持部に制御部と操作部が設けられることを要件とする。
更に、前記いずれかに記載のなぞり書き用表示体と、表示体上面に載置した際に発光素子の点灯状態が視認可能な被筆記体とからなるなぞり書きセットを要件とし、前記被筆記体が光透過性を有する布帛または樹脂シートの表面に、低屈折率顔料をバインダー樹脂に分散状態に固着させた、非吸液状態で不透明であり吸液状態で透明化する多孔質層を形成してなる水変色性筆記シートであること、前記被筆記体が表示体の軸心方向に回転可能に表示体と接続されていること、前記被筆記体が円形孔部を有するとともに、表示体が表示部に対して垂直方向に延設される円形支持部を有し、前記円形支持部を円形孔部内に嵌入することで軸心方向に回転可能に接続されることを要件とする。
更には、水付着具とからなることを要件とし、前記水付着具が、連続気孔を有するプラスチック多孔体又は繊維加工体をペン先部材として適用した筆記具又は塗布具形態であることを要件とする。
【発明の効果】
【０００６】
本発明により、就学児童の使用はもちろん、就学前の幼児が像や文字を真似てなぞり書きを行う場合であっても、下絵部分が順に現れてなぞる箇所が視覚的に追加されていくことから、下絵部分の変化により興味を持ってなぞり書きができる、興趣に富んだなぞり書き用表示体を提供できる。
また、前記表示体とともに用いる被筆記体を、吸液状態で透明化する多孔質層を備えた水変色性筆記シートとすることで、筆記時に周囲を汚すことがなく、容易に筆跡を消去して使用前の状態に戻すことが可能となるため、利便性及び再使用性が高く、幼児の使用に適したなぞり書きセットを提供できる。
【図面の簡単な説明】
【０００７】
【図１】本発明のなぞり書き用表示体の外観図である。
【図２】図１の使用状態の外観図である。
【図３】本発明に適用される水変色性筆記シートの縦断面図である。
【図４】なぞり書き用表示体セットの他の例の外観図である。
【発明を実施するための形態】
【０００８】
本発明のなぞり書き用表示体は、光透過性を有する被筆記体を表示部上に載置し、該表示部に順に表示される像にあわせてなぞり書きをするための装置であり、表示部と、制御部と、操作部とを有する。
前記表示部は上面に被筆記体を載置できる大きさを有しており、上方から視認可能な位置に複数の発光素子がマトリクス状に配置されている。尚、前記載置面は、被筆記体載置時の像視認性が高く、筆記時の書き易さを有することから平面状とすることが好ましい。また、載置部には傾斜を設けて筆記面に角度を設けたり、載置位置を高くすることもできる。
前記発光素子は、プログラムに応じて所望の文字や像を表示部でドット表示するために規則的なマトリクス状に配置されており、ＬＥＤやＬＣＤ等の汎用の発光体が用いられる。尚、前記発光素子は、単一の色や複数の色で構成できる他、二色以上の色に発光するものであってもよい。
【０００９】
前記制御部は、発光素子の点滅をプログラム制御するものであり、予め入力されたプログラムによって所望の順序で点灯、消灯、点滅するように制御される。尚、なぞり書き用表示体に音声発生手段を設けて音声機能を付加する場合には、前記発光素子とともに制御部で音声を制御することが好ましく、発光素子の点灯、点滅、消灯に応じて所望の音（音楽、音声、効果音等）を連動させて発生することが可能となる。
また、制御部では発光素子の点灯順を制御しており、特に幼児用として、表示部に表示される像が一筆書き順に点灯するように制御することが好ましい。これによりなぞり書き筆記時にペン先を被筆記体に接触させたまま連続して筆記することができるため、低年齢の幼児であっても光を追いかけて筆記すれば容易に像を描くことができる。
また、表示部に表示される像が文字である場合には、表示される文字の書き順に従って発光素子が点灯するように制御することができる。
更に、筆記を始める箇所を示すために、開始箇所となる発光素子を点滅させてユーザーに知らせることができる。これにより筆記開始箇所（文字等の像に応じてペン先を被筆記面に再度接触させる位置）を何度も変える複雑な像であっても迷うことなく筆記できたり、文字においては書き始めが容易に分かり、正しい書き順を覚え易くなる。
【００１０】
前記操作部は、制御部を操作する箇所であり、前記操作部により入力された情報が制御部に伝達され、選択的に表示部の発光素子や音声発生手段に出力される。前記操作部としては電源スイッチや選択スイッチ、切換レバー（ボタン）等の形態で設けられ、これらを操作することで制御部を介して発光素子が点灯し所望の像が形成される。
【００１１】
前記なぞり書き用表示体には、孔部を有する被筆記体を軸心方向に回転できるように係止する円形支持部を設けることができる。前記円形支持部は、表示部に対して垂直方向に延設される横断面形状が略円形のものであり、円柱や半球、先端部分を半球状とする円柱等の凸部として形成される。前記円形支持部を設けることで、取り付けた被筆記体を回して非筆記箇所を容易に表示部上に載置できるため、繰り返しのなぞり書きを容易に行うことが可能となる。特に、踏みつけた場合であっても安全性が高いことから角部を有さない形状が好適であり、特に半球状が好ましい。
尚、前記円形支持部には、制御部や操作部、更にはバッテリーやスピーカー等を設けることができる。これにより表示部と円形支持部から構成されるシンプルな構造となるため、デザイン性に優れた外観を低コストで構成することが可能となる。
【００１２】
前記なぞり書き用表示体は、表示体上面に載置した際に発光素子の点灯状態が視認可能な被筆記体とともに適用することでなるなぞり書きセットを構成する。
前記被筆記体は、筆跡が形成可能であり、透明、半透明、着色透明等の下面が視認できるものであれば可撓性（軟質）を有するものや硬質のもの等いずれも適用でき、材質としては、紙、布帛、樹脂シートを直接又は積層体や表面処理体として用いることができる。
特に、前記被筆記体としては、光透過性を有する布帛または樹脂シート（合成紙を含む）の表面に、低屈折率顔料をバインダー樹脂に分散状態に固着させた、非吸液状態で不透明であり吸液状態で透明化する多孔質層を形成することで得られる水変色性筆記シートが好適である。
【００１３】
前記水変色性筆記シートとしては、本出願人が提案する低屈折率顔料をバインダー樹脂に分散状態に固着させた多孔質層を布帛等の支持体表面に設けたものが例示でき、例えば、特開平１１−１９２８００号公報、特開平１１−１９８２７１号公報、特開平１１−１９８２７２号公報、特開２０００−７２９７７号公報、特開２００１−１０４６６１号公報、特開２００２−５９５００号公報、特開２００２−６７２００号公報、特開２００３−３３９８５号公報、特開２００４−１７５１０１号公報、特開２００４−２０２７８９号公報等に開示される水変色性シートから適宜選択して適用できる。
尚、前記多孔質層は、ベタ印刷状に形成したものが好ましいが、文字、記号、英数字、図柄等の像形態で形成したものを用いることもできる。
【００１４】
前記多孔質層を用いた水変色性筆記シートは、多孔質層に液体が付着することにより付着部が透明化し、非付着部とのコントラストによって筆跡が形成される他、多孔質層の下層に非変色インキによる着色層が設けられている場合には、隠蔽されていた下層の色調が視認されてカラフルな筆跡が形成できるものである。また、液体が乾燥すると元の状態（非筆記状態の多孔質面）に復元するため、繰り返しのなぞり書きを容易に行うことができる。尚、前記液体として水を用いることができるため、筆記時に周囲を汚したり、使用者自身に着色剤が付着することがないので、幼児の使用には極めて適したものである。更に、前記筆記シートでは、なぞり書き以外にも筆記や捺印、スプレー塗布等の像形成を容易に行うことができる。その際、ステンシル等の型を併用することもできる。
【００１５】
前記水変色性筆記シートの多孔質面に液体を付着させる方法としては、手や指を水で濡らして多孔質層に接触させる方法、先端部に筆穂や繊維ペン体等を有する筆記又は塗布具やスポンジに水を含浸させて多孔質層に接触させる方法、水を収容した容器を多孔質層に近接又は接触させて容器内から水を導出して付着させる方法、印面に連続気泡又は独立気泡を有する発泡体を固着したスタンプ具（ローラー式を含む）に水を含浸させて多孔質層に付着させる方法、プラスチックやゴムの印面を粗面に形成したスタンプ具に水を付着させて多孔質層に接触させる方法等が挙げられる。
尚、水を収容した容器を多孔質層に近接又は接触させて容器内から水を導出して付着させる方法としては、容器内に水を収容し、且つ、容器内の水を導出する繊維体や刷毛を設けて水を塗布する方法、容器内に水を収容し、且つ、噴霧装置を設けて、水をスプレーする方法、注射器のように容器内の水を押圧して水を噴出させる方法等が挙げられる。
前記水を付着させる手段として用いられる水付着具は、筆記又は塗布具、スタンプ具、スプレー具を例示でき、なぞり書き用表示体と水変色性筆記シートと組み合わせてなぞり書きセットとすることができる。特に、なぞり書きに適した水付着具としては、特定の線幅で連続筆記できることから、連続気孔を有するプラスチック多孔体又は繊維加工体をペン先部材として適用した筆記具や塗布具形態が好適である。
【実施例】
【００１６】
以下図面に従って実施例を示すが、本発明は実施例に限定されるものではない。尚、実施例中の部は重量部を示す。
【００１７】
実施例１（図１乃至３参照）
なぞり書き用表示体１
図１に示すなぞり書き用表示体１は、制御部及びバッテリーを内蔵すると共に、外面に複数の操作部３を備えた樹脂成形物からなる略半球状本体２と、該本体２から延設される平板状樹脂成形物である載置部４とから構成され、該載置部４の表面には、複数のＬＥＤ５１を規則的なマトリクス状に配置する表示部５を有している。
【００１８】
前記載置部４は上面に被筆記体６を載置して筆記が出来る大きさを有しており、上方（表面側）から視認可能な位置に、発光素子として用いられるＬＥＤ５１が複数個配置されている。具体的には、載置部４となる樹脂板間に複数の赤色ＬＥＤが１０個×１０個の等間隔にマトリクス状に配列されている。尚、前記載置部４は、被筆記体６載置時における像（点灯部５２）の視認性が高く、筆記時の書き易さを有することから平面状となっている。
前記発光素子は、プログラムに応じて所望の文字や像を表示部５にドット表示するために規則的なマトリクス状に配置されているが、これに限られるものでなく、表示される像に応じて適宜配列を構成することができる。また、前記発光素子は、単一の色や大きさに限らず、複数色での構成や、大小様々な大きさで構成することもできる。これにより装飾性の向上や像の複雑化を図ることもできる。
【００１９】
前記載置部４が延設される略半球状の本体２は、表示部５や音声を制御する機能とともに、外側形状を円形にすることで、被筆記体６を回転可能に支持する機能を備えている。尚、本体２外面には、載置する被筆記体６の回転移動を補助するための補助具を別体で設けることもできる。
前記本体２の内部には、バッテリーやスピーカー（発音部２１）とともに、表示部５のＬＥＤ点滅や発音部２１から流れる音楽（音声）をプログラム制御する制御部が内蔵される。
また、本体２の外面には、前記制御部に繋がる操作部３が、複数のボタン形態で形成される。具体的には、表示体１の通電状態を操作する電源部３１、表示部５に表示される点灯像の種類を選択する１１個の選択ボタン３２、一筆書き形態と書き順形態の切り替え、同一選択ボタン３２での文字と像（ヨット等の形象物）の切り替え、点灯、点滅時に流れる音楽や説明等の切り替え等を行うための切替部３３、ボリューム調整部等が設けられている。
更に、前記各操作部３の外周（本体２表面）やボタン表面には、表示部５に現れる図柄（イラスト）や文字、説明文等が表示されている。
【００２０】
前記なぞり書き用表示体１は、本体２外面の操作部３により稼動され、使用時には、電源部３１をＯＮにした後、切替部３３を所望の機能に選択し、その後に描きたい像を選択ボタン３２で選ぶことで、表示部５になぞり書き用の指示像が点灯形成され始める。その際、ペン先を置く位置（筆記線の書き始め）のＬＥＤ５１が点滅してスタート位置を案内し、その後に他のＬＥＤ５１が順に点灯していくため、点灯する光を辿って筆記していくことで所望の像を完成することができる。尚、ＬＥＤ５１の点灯に合わせて発音部２１から音楽が流れるため、玩具的要素の高い興趣に富んだものとなる。
【００２１】
また、前記なぞり書き用表示体１は、載置部４に紙等の被筆記体６を重ねて、該被筆記体６に筆記具で像を形成するものであるが、書き順を覚える場合等には、被筆記体６を用いずにＬＥＤ５１が点灯する順番に従って指等でなぞることでも使用できる。
【００２２】
筆記用シート
前記なぞり書き用表示体１の載置部４（表示部上面）には、ＬＥＤ光の光透過性を有する被筆記体６が載置されなぞり書きセット７が形成される（図２参照）。
本実施例において用いられる被筆記体６は、図２に示すような円形（中心部に本体２を装入可能な孔部６３が形成されるドーナツ形）のシートであり、筆記面に多孔質層６１を備え、該多孔質層６１への液体塗布によって筆跡が形成される水変色性筆記シートである。
【００２３】
前記水変色性筆記シート６は、背面に厚さ３μｍのウレタンエラストマーシートが貼着されてなる白色の綿サテン生地を支持体６４として、微粉末蛍光ピンク色顔料〔日本触媒（株）製〕５部、アクリル酸エステルエマルジョン〔ヘキスト合成（株）製、固形分４８％〕５０部、水性インキ増粘剤３部、レベリング剤０．５部、消泡剤０．３部、エポキシ系架橋剤５部を均一に混合攪拌してなる蛍光ピンク色インキを用いて、１８０メッシュのスクリーン版にて支持体６４上にベタ印刷し、１００℃で３分間乾燥硬化させて着色層６５を形成した。その後、前記着色層６５上に、湿式法微粉末シリカ〔日本シリカ工業（株）製〕１５部、ウレタンエマルジョン〔大日本インキ化学工業（株）製、固形分５０％〕３０部、水５０部、消泡剤０．５部、水系インキ用増粘剤３部、架橋剤３部を均一に混合攪拌してなる白色スクリーン印刷用インキを８０メッシュのスクリーン版を用いて、支持体６４の全面にベタ印刷し、１３０℃で５分間乾燥固化させることで白色の多孔質層６１を形成した（図３参照）。更に、支持体６４の外周部分を補強する着色布帛からなる枠部６２を縫製することで水変色性筆記シート６を得た。
尚、前記水変色性筆記シート６の多孔質層６１は乾燥状態で白色であり、水を付着させるとその部分の多孔質層６１が透明化してピンク色の着色層６５が視覚される。尚、前記視覚部分は水が未乾燥の状態では保持されており、水が乾燥すると不可視状態となり、元の白色の様相を呈する。
尚、前記多孔質層の上面、下面、外周近傍には、一般印刷インキによる文字や図柄等の装飾部を配設し、商品性、意匠性を向上することもできる。
【００２４】
なぞり書きセット
前記水変色性筆記シート６を、なぞり書き用表示体１の載置部４上に筆記面（多孔質層）６１が位置するように、本体２に孔部６３を装入して取り付けることで、図２のようななぞり書きセット７となる。前記なぞり書きセット７は、使用時、なぞり書き用表示体１の本体２に形成される電源部３１をＯＮにした後、切替部３３を所望の機能に選択し、その後に描きたい像を選択ボタン３２で選ぶことで、表示部５になぞり書き用の指示像が形成され始める。その際、点灯するＬＥＤ５１の光が、筆記シート６表面になぞり書き用の点灯部５２として視認できる。
前記ＬＥＤ５１による点灯部５２は、まずペン先を置く位置（筆記線の書き始め）が点滅してスタート位置を案内し、その後、像を形成するように他のＬＥＤ５１が順に点灯していき、像が完成すると点灯したすべての点灯部５２が点滅して完成したことを知らせる。そのため、点灯する光を辿って筆記していくことで、先に選択した所望の像を簡単に描くことができる。また、前記筆記面６１は、なぞり書き以外の筆記にも適用でき、所望の筆跡９が形成できる。尚、ＬＥＤ５１の点灯、点滅に応じてスタート音、メロディ、ゴール音等の音楽が発音部２１から流れるため、聴覚でも点灯状態が確認できる玩具的要素の高いものとなる。
【００２５】
前記なぞり書き等の筆記には、なぞり書きセット７に組み合わされるペン形態の塗布具８が用いられる。
前記塗布具８は、本実施形態で水付着手段として適用されるものであり、筆記先端部に砲弾型の繊維ペン体（ナイロン樹脂製、直径７ｍｍ）を有し、軸筒内に水を収容可能に構成したマーキングペン形態の塗布具８である。この他に、スタンプやローラー形態の塗布具を用いることもできる。
前記塗布具８によって水が筆記面に付着されることで、多孔質層６１が吸液による透明化を生じて下層の着色層６５が視認可能となり、ピンク色の筆跡（筆記像）９が形成される。前記筆跡９は水が未乾燥の状態では保持されており、水が乾燥すると元の白色の様相を呈して不可視状態となる。
【００２６】
前記筆記像９が描かれた筆記面６１は、略半球状の本体２が回転支持体となり、筆記シート６を本体２を回転軸として容易に回転することができるため、筆記シート６の筆記されていない箇所（筆記面）を回転移動させて載置部４上に位置させることが可能である。従って次のなぞり書きを行うことが容易にできる。これは筆記後に筆記シート６を回転移動することで繰り返し行うことができる。
また、なぞり書き用表示体１と水変色性筆記シート６を容易に分離できるため、非使用時には、筆記シート６を折り畳むことが可能であり、収納性に優れたものとなる。
【００２７】
実施例２（図４参照）
図４に示すなぞり書きセット７は、なぞり書き用表示体１が本体２とは別体で略星型状の支持部１０を備えるものである。
なぞり書き用表示体１は、制御部及びバッテリーを内蔵し、外面に複数の操作部３を備えた樹脂成形物からなる略楕円箱状本体２と、該本体２から延設される平板状樹脂成形物である載置部４と、該載置部４から延設される回転可能な星型柱状の支持部１０で構成される。尚、前記載置部４の表面には、複数個のＬＥＤが規則的なマトリクス状に配置された平板状の表示部５が形成されており、制御部によって実施例１と同様の内容で制御されている。
【００２８】
また、被筆記体となる水変色性筆記シート６は、中心部に支持部１０が装入可能な星形の孔部６３が形成された円形のシートであり、筆記面に多孔質層６１を備え、該多孔質層６１への液体塗布によって筆跡が形成される筆記シートである。
具体的には、多孔質層６１下層の着色層６５をピンク色と青色の２色で並設した以外は実施例１と同様に構成されており、多孔質層６１と枠部６２の間に一般印刷インキによる図柄や文字からなるカラフルな装飾部６６が形成され、商品性、意匠性を付与している。尚、前記装飾部６６には、選択ボタン３２に表示されるなぞり書きが可能な像のイラストが形成されている。
前記筆記シート６の多孔質層６１は乾燥状態で白色であり、水を付着するとその部分の多孔質層６１が透明化してピンク色または青色の着色層６５が視覚される。尚、前記視覚部分は水が未乾燥状態では保持されており、水が乾燥すると不可視状態となり、元の白色の様相を呈する。
【００２９】
前記なぞり書きセット７は、本体２に形成される各種操作部３の操作によって稼働される。具体的には、電源部をＯＮにした後、切替部を所望の機能に選択し、その後に描きたい像を選択ボタン３２で選ぶことで、表示部になぞり書き用の指示像が形成され始める。その際、点灯するＬＥＤが筆記シート６表面からなぞり書き用の点灯部５２として視認できる。
前記点灯部５２は、まずペン先を置く位置（筆記線の書き始め）が点滅してスタート位置を案内し、その後、像を形成するように他のＬＥＤが順に点灯していき、像が完成すると点灯したすべての点灯部５２が点滅して完成したことを知らせる。この時、ＬＥＤの点灯、点滅に応じてスタート音、メロディ、ゴール音等の音楽が流れるため、聴覚でも点灯状態が確認できる。そのため、塗布具等の水付着手段を用いて点灯する光を辿って筆記していくことにより、選択した所望の像を簡単に描くことができる。
【００３０】
また、筆記像が描かれた筆記面６１は、支持部１０が回転支持体となり該支持部１０を中心に筆記シート６を回転することができるため、筆記シート６の筆記されていない箇所を載置部上に回転移動させて再びなぞり書きを行うことが容易且つ即座にできる。
また、なぞり書き用表示体（支持部１０）と水変色性筆記シート６は容易に分離できるため、非使用時には、筆記シート６を折り畳むことが可能であり、収納性に優れたものとなる。
【符号の説明】
【００３１】
１  なぞり書き用表示体
２  本体
２１  発音部
３  操作部
３１  電源部
３２  選択ボタン
３３  切替部
４  載置部
５  表示部
５１  ＬＥＤ
５２  点灯部
６  被筆記体（水変色性筆記シート）
６１  多孔質層（筆記面）
６２  枠部
６３  孔部
６４  支持体
６５  着色層
６６  装飾部
７  なぞり書きセット
８  塗布具
９  筆跡（筆記像）
１０  支持部
【図１】
2012159587.tif 000003
【図２】
2012159587.tif 000004
【図３】
2012159587.tif 000005
【図４】
2012159587.tif 000006